(57)【要約】【課題】リレーノードＲＮを、無線基地局ＤｅＮＢとのバックホール回線においてＤＲＸ状態とし、移動局ＵＥ向けのアクセス回線を停止して運用させる。【解決手段】本発明に係る移動通信方法は、リレーノードＲＮが、無線基地局ＤｅＮＢから、Ｒ-ＰＤＣＣＨを介して「ＤＲＸ  Ｃｏｍｍａｎｄ  ＭＡＣ  ｃｏｎｔｒｏｌ  ｅｌｅｍｅｎｔ」を受信した場合に、ＤＲＸ状態に遷移し、移動局ＵＥ宛ての電波の送信を停止する工程を有する。【選択図】図３
2012009963.tif 000002
【特許請求の範囲】
【請求項１】
リレーノードが、無線基地局から、該リレーノード宛ての物理下りリンク制御チャネルを介して制御情報を受信した場合に、間欠受信状態に遷移し、移動局宛ての電波の送信を停止する工程を有することを特徴とする移動通信方法。
【請求項２】
リレーノードが、所定タイマが満了した場合に、間欠受信状態に遷移し、移動局宛ての電波の送信を停止する工程と、
前記リレーノードが、前記無線基地局から、該リレーノード宛ての物理下りリンク制御チャネルを介して制御情報を受信した場合に、前記所定タイマをリセットする工程とを有することを特徴とする移動通信方法。
【請求項３】
前記リレーノードは、間欠受信状態に遷移する際に、前記無線基地局との間で用いられているサブフレームの設定を解放することを特徴とする請求項１又は２に記載の移動通信方法。
【請求項４】
前記リレーノードが、ランダムアクセス手順を行うことによって、連続受信状態に遷移し、移動局宛ての電波の送信を再開する工程を有することを特徴とする請求項１又は２に記載の移動通信方法。
【請求項５】
前記リレーノードが、前記無線基地局から、該リレーノード宛ての物理下りリンク制御チャネルを介して制御情報を受信した場合に、連続受信状態に遷移し、移動局宛ての電波の送信を再開する工程と有することを特徴とする請求項４に記載の移動通信方法。
【請求項６】
前記リレーノードが、ランダムアクセス手順を行った後に、前記無線基地局との間で用いられるサブフレームの設定を行った後、移動局宛ての電波の送信を再開する工程と有することを特徴とする請求項３に記載の移動通信方法。
【請求項７】
リレーノードであって、
無線基地局から、前記リレーノード宛ての物理下りリンク制御チャネルを介して制御情報を受信した場合に、該リレーノードの受信状態を間欠受信状態に遷移させ、移動局宛ての電波の送信を停止するように構成されている制御部を具備することを特徴とするリレーノード。
【請求項８】
リレーノードであって、
所定タイマが満了した場合に、前記リレーノードの受信状態を間欠受信状態に遷移させ、移動局宛ての電波の送信を停止するように構成されている制御部を具備し、
前記制御部は、前記無線基地局から、前記リレーノード宛ての物理下りリンク制御チャネルを介して制御情報を受信した場合に、前記所定タイマをリセットするように構成されていることを特徴とするリレーノード。
【請求項９】
前記制御部は、前記リレーノードの受信状態を間欠受信状態に遷移させる際に、前記無線基地局との間で用いられているサブフレームの設定を解放するように構成されていることを特徴とする請求項７又は８に記載のリレーノード。
【請求項１０】
前記制御部は、ランダムアクセス手順を行うことによって、前記リレーノードの受信状態を連続受信状態に遷移させ、移動局宛ての電波の送信を再開するように構成されていることを特徴とする請求項７又は８に記載のリレーノード。
【請求項１１】
前記制御部は、前記無線基地局から、前記リレーノード宛ての物理下りリンク制御チャネルを介して制御情報を受信した場合に、該リレーノードの受信状態を連続受信状態に遷移させ、移動局宛ての電波の送信を再開するように構成されていることを特徴とする請求項１０に記載のリレーノード。
【請求項１２】
前記制御部は、ランダムアクセス手順を行った後に、前記無線基地局との間で用いられるサブフレームの設定を行った後に、前記リレーノードの受信状態を連続受信状態に遷移させ、移動局宛ての電波の送信を再開するように構成されていることを特徴とする請求項９に記載のリレーノード。
【発明の詳細な説明】
【技術分野】
【０００１】
本発明は、移動通信方法及びリレーノードに関する。
【背景技術】
【０００２】
ＬＴＥ（Ｌｏｎｇ  Ｔｅｒｍ  Ｅｖｏｌｕｔｉｏｎ）方式の後継の通信方式であるＬＴＥ-Ａｄｖａｎｃｅｄ方式の移動通信システムでは、移動局ＵＥと無線基地局ＤｅＮＢ（Ｄｏｎｏｒ  ｅＮＢ）との間に、無線基地局ＤｅＮＢと同様な機能を具備する「リレーノード（Ｒｅｌａｙ  Ｎｏｄｅ）ＲＮ」を接続することができる。
【先行技術文献】
【非特許文献】
【０００３】
【非特許文献１】３ＧＰＰ  ＴＳ３６.３００（Ｖ１０.０.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｐｈｙｓｉｃａｌ  Ｃｈａｎｎｅｌｓ」、２０１０年６月
【非特許文献２】３ＧＰＰ  ＴＲ３６.８１４（Ｖ９.０.０）、「Ｆｕｒｔｈｅｒ  Ａｄｖａｎｃｅｍｅｎｔｓ  ｆｏｒ  Ｅ-ＵＴＲＡ  Ｐｈｙｓｉｃａｌ  Ｌａｙｅｒ  Ａｓｐｅｃｔｓ」、２０１０年３月
【非特許文献３】３ＧＰＰ  ＴＳ３６.３２１（Ｖ９.３.０）、「Ｍｅｄｉａ  Ａｃｃｅｓｓ  Ｃｏｎｔｒｏｌ（ＭＡＣ）；  Ｐｒｏｔｏｃｏｌ  ｓｐｅｃｉｆｉｃａｔｉｏｎ」、２０１０年６月
【発明の概要】
【発明が解決しようとする課題】
【０００４】
しかしながら、かかる移動通信システムにおいて、リレーノードＲＮを、無線基地局ＤｅＮＢとのバックホール回線においてＤＲＸ（Ｄｉｓｃｏｎｔｉｎｕｏｕｓ  Ｒｅｃｅｐｔｉｏｎ）状態とし、移動局ＵＥ向けのアクセス回線を停止して運用させるための方法について明確に規定されていないという問題点があった。
【０００５】
そこで、本発明は、上述の課題に鑑みてなされたものであり、リレーノードＲＮを、無線基地局ＤｅＮＢとのバックホール回線においてＤＲＸ状態とし、移動局ＵＥ向けのアクセス回線を停止して運用させることができる移動通信方法及びリレーノードを提供することを目的とする。
【課題を解決するための手段】
【０００６】
本発明の第１の特徴は、移動通信方法であって、リレーノードが、無線基地局から、該リレーノード宛ての物理下りリンク制御チャネルを介して制御情報を受信した場合に、間欠受信状態に遷移し、移動局宛ての電波の送信を停止する工程を有することを要旨とする。
【０００７】
本発明の第２の特徴は、移動通信方法であって、リレーノードが、所定タイマが満了した場合に、間欠受信状態に遷移し、移動局宛ての電波の送信を停止する工程と、前記リレーノードが、前記無線基地局から、該リレーノード宛ての物理下りリンク制御チャネルを介して制御情報を受信した場合に、前記所定タイマをリセットする工程とを有することを要旨とする。
【０００８】
本発明の第３の特徴は、リレーノードであって、無線基地局から、前記リレーノード宛ての物理下りリンク制御チャネルを介して制御情報を受信した場合に、該リレーノードの受信状態を間欠受信状態に遷移させ、移動局宛ての電波の送信を停止するように構成されている制御部を具備することを要旨とする。
【０００９】
本発明の第４の特徴は、リレーノードであって、所定タイマが満了した場合に、前記リレーノードの受信状態を間欠受信状態に遷移させ、移動局宛ての電波の送信を停止するように構成されている制御部を具備し、前記制御部は、前記無線基地局から、前記リレーノード宛ての物理下りリンク制御チャネルを介して制御情報を受信した場合に、前記所定タイマをリセットするように構成されていることを要旨とする。
【発明の効果】
【００１０】
以上説明したように、本発明によれば、リレーノードＲＮを、無線基地局ＤｅＮＢとのバックホール回線においてＤＲＸ状態とし、移動局ＵＥ向けのアクセス回線を停止して運用させることができる移動通信方法及びリレーノードを提供することができる。
【図面の簡単な説明】
【００１１】
【図１】本発明の第１の実施形態に係る移動通信システムの全体構成図である。
【図２】本発明の第１の実施形態に係るリレーノードの機能ブロック図である。
【図３】本発明の第１の実施形態に係る移動通信システムの動作を示すシーケンス図である。
【発明を実施するための形態】
【００１２】
（本発明の第１の実施形態に係る移動通信システム）
図１乃至図３を参照して、本発明の第１の実施形態に係る移動通信システムについて説明する。
【００１３】
図１に示すように、本実施形態に係る移動通信システムは、ＬＴＥ-Ａｄｖａｎｃｅｄ方式の移動通信システムであって、無線基地局ＤｅＮＢや、リレーノードＲＮ等を具備している。
【００１４】
ここで、図１の例では、リレーノードＲＮと移動局ＵＥとの間には、Ｕｕサブフレーム（Ｕｕ無線ベアラ）が設定されており、無線基地局ＤｅＮＢとリレーノードＲＮとの間には、Ｕｎサブフレーム（Ｕｎ無線ベアラ）が設定されている。
【００１５】
図２に示すように、リレーノードＲＮは、制御部１１と、Ｕｎインターフェイスと、Ｕｕインターフェイスとを具備している。
【００１６】
Ｕｎインターフェイス１２は、無線基地局ＤｅＮＢとの間のインターフェイスの役割を果たすように構成されている。
【００１７】
Ｕｕインターフェイス１３は、移動局ＵＥとの間のインターフェイスの役割を果たすように構成されている。
【００１８】
制御部１１は、リレーノードＲＮの受信状態（ＤＲＸ状態或いはｎｏｎ-ＤＲＸ状態）を制御するように構成されている。
【００１９】
例えば、制御部１１は、無線基地局ＤｅＮＢから、Ｒ-ＰＤＣＣＨ（Ｒｅｌａｙ-Ｐｈｙｓｉｃａｌ  Ｄｏｗｎｌｉｎｋ  Ｃｏｎｔｒｏｌ  Ｃｈａｎｎｅｌ）を介して「ＤＲＸ  Ｃｏｍｍａｎｄ  ＭＡＣ  ｃｏｎｔｒｏｌ  ｅｌｅｍｅｎｔ」を受信した場合に、リレーノードＲＮの受信状態をＤＲＸ状態に遷移させ、移動局ＵＥ宛ての電波の送信を停止するように構成されている。
【００２０】
或いは、制御部１１は、「ＤＲＸ  ｉｎａｃｔｉｖｅ  ｔｉｍｅｒ」が満了した場合に、リレーノードＲＮの受信状態をＤＲＸ状態に遷移させ、移動局ＵＥ宛ての電波の送信を停止するように構成されている。
【００２１】
かかる場合、制御部１１は、無線基地局ＤｅＮＢから、Ｒ-ＰＤＣＣＨを介して所定の制御情報を受信した場合に、「ＤＲＸ  ｉｎａｃｔｉｖｅ  ｔｉｍｅｒ」をリセットするように構成されている。
【００２２】
ここで、制御部１１は、リレーノードＲＮの受信状態をＤＲＸ状態に遷移させる際に、Ｕｕインターフェイス１３におけるＵｎサブフレームの設定を解放するように構成されていてもよい。
【００２３】
一方、制御部１１は、ランダムアクセス手順を行うことによって、リレーノードＲＮの受信状態をｎｏｎ-ＤＲＸ状態に遷移させ、移動局ＵＥ宛ての電波の送信を再開するように構成されている。
【００２４】
例えば、制御部１１は、無線基地局ＤｅＮＢから、Ｒ-ＰＤＣＣＨを介して所定の制御情報を受信した場合に、リレーノードＲＮの受信状態をｎｏｎ-ＤＲＸ状態に遷移させ、移動局ＵＥ宛ての電波の送信を再開するように構成されていてもよい。
【００２５】
ここで、無線基地局ＤｅＮＢは、Ｒ-ＰＤＣＣＨを介して所定の制御情報として「Ｄｅｄｉｃａｔｅｄ  Ｐｒｅａｍｂｌｅ」を送信することによって、上りリンクにおける同期のためのランダムアクセス手順を行うことを要求するように構成されていてもよい。
【００２６】
例えば、無線基地局ＤｅＮＢは、移動局ＵＥ宛ての下りリンクデータが存在する場合に、かかる所定の制御情報を送信してもよいし、リレーノードＲＮをｎｏｎ-ＤＲＸ状態で運用させる必要があると判断した場合に、かかる所定の制御情報を送信してもよい。
【００２７】
また、制御部１１は、リレーノードＲＮにおいて上りリンクにおけるスケジューリング要求（Ｓｃｈｅｄｕｌｉｎｇ  Ｒｅｑｕｅｓｔ）が生成された場合に、ランダムアクセス手順を行うことによって、リレーノードＲＮの受信状態をｎｏｎ-ＤＲＸ状態に遷移させ、移動局ＵＥ宛ての電波の送信を再開するように構成されていてもよい。
【００２８】
例えば、リレーノードＲＮは、ＤＲＸ状態で運用されている場合であっても、Ｕｕインターフェイスにおける受信機のみをＯＮにしておき、リレーノードＲＮに隣接する無線基地局ｅＮＢと通信を行っている移動局ＵＥの信号受信レベルに基づいて、スケジューリング要求を生成するように構成されていてもよい。
【００２９】
以下、図３を参照して、本実施形態に係る移動通信システムの動作について説明する。
【００３０】
図３に示すように、ステップＳ１００１において、無線基地局ＤｅＮＢは、リレーノードＲＮ配下のセルに「ＲＲＣ_ＣＯＮＮＥＣＴＥＤ状態」の移動局ＵＥが存在しない場合や深夜の閑散時等に、Ｅｎｅｒｇｙ  Ｓａｖｉｎｇの観点から、リレーノードＲＮの受信状態をＤＲＸ状態として運用すべきであることを決定すると、リレーノードＲＮに対して、Ｒ-ＰＤＣＣＨを介して「ＤＲＸ  Ｃｏｍｍａｎｄ  ＭＡＣ  ｃｏｎｔｒｏｌ  ｅｌｅｍｅｎｔ」を送信する。
【００３１】
リレーノードＲＮは、「ＤＲＸ  Ｃｏｍｍａｎｄ  ＭＡＣ  ｃｏｎｔｒｏｌ  ｅｌｅｍｅｎｔ」を受信すると、ステップ１００２において、ＤＲＸ状態に遷移し、ステップＳ１００３において、移動局ＵＥ宛ての電波の送信を停止する。
【００３２】
ここで、リレーノードＲＮは、ＤＲＸ状態に遷移する際に、Ｕｎサブフレームの設定を解放してもよい。
【００３３】
その後、ステップＳ２００１において、無線基地局ＤｅＮＢは、リレーノードＲＮの受信状態をｎｏｎ-ＤＲＸ状態として運用すべきであることを決定すると、リレーノードＲＮに対して、Ｒ-ＰＤＣＣＨを介して「ＲＡ  Ｐｒｅａｍｂｌｅ  Ａｓｓｉｇｎｍｅｎｔ」を送信する。
【００３４】
リレーノードＲＮは、「ＲＡ  Ｐｒｅａｍｂｌｅ  Ａｓｓｉｇｎｍｅｎｔ」を受信すると、ステップＳ２００２において、ｎｏｎ-ＤＲＸ状態に遷移し、ステップＳ２００３において、無線基地局ＤｅＮＢに対して、「ＲＡ  Ｐｒｅａｍｂｌｅ  Ａｓｓｉｇｎｍｅｎｔ」によって割り当てられた「ＲＡ  Ｐｒｅａｍｂｌｅ」を送信する。
【００３５】
リレーノードＲＮは、ステップＳ２００４において、無線基地局ＤｅＮＢによって送信された「ＲＡ  Ｒｅｓｐｏｎｓｅ」を受信すると、ステップＳ２００５において、移動局ＵＥ宛ての電波の送信を再開する。
【００３６】
ここで、Ｕｎサブフレームの設定が解放されている場合には、リレーノードＲＮは、かかるＵｎサブフレームの設定を行った後に、移動局ＵＥ宛ての電波の送信を再開する。
【００３７】
本実施形態に係る移動通信システムによれば、リレーノードＲＮの受信状態を適切に制御しつつ、Ｕｕインターフェイスを介する移動局ＵＥ宛ての電波の送信の停止/再開を適切に制御することができる。
【００３８】
以上に述べた本実施形態の特徴は、以下のように表現されていてもよい。
【００３９】
本実施形態の第１の特徴は、移動通信方法であって、リレーノードＲＮが、無線基地局ＤｅＮＢから、Ｒ-ＰＤＣＣＨ（リレーノード宛ての物理下りリンク制御チャネル）を介して「ＤＲＸ  Ｃｏｍｍａｎｄ  ＭＡＣ  ｃｏｎｔｒｏｌ  ｅｌｅｍｅｎｔ（制御情報）」を受信した場合に、ＤＲＸ状態（間欠受信状態）に遷移し、移動局ＵＥ宛ての電波の送信を停止する工程を有することを要旨とする。
【００４０】
本実施形態の第２の特徴は、移動通信方法であって、リレーノードＲＮが、「ＤＲＸ  ｉｎａｃｔｉｖｅ  ｔｉｍｅｒ（所定タイマ）」が満了した場合に、ＤＲＸ状態に遷移し、移動局ＵＥ宛ての電波の送信を停止する工程と、リレーノードＲＮが、無線基地局ＤｅＮＢから、Ｒ-ＰＤＣＣＨを介して制御情報を受信した場合に、「ＤＲＸ  ｉｎａｃｔｉｖｅ  ｔｉｍｅｒ」をリセットする工程とを有することを要旨とする。
【００４１】
本実施形態の第１及び第２の特徴において、リレーノードＲＮは、ＤＲＸ状態に遷移する際に、Ｕｎサブフレーム（無線基地局との間で用いられているサブフレーム）の設定を解放してもよい。
【００４２】
本実施形態の第１及び第２の特徴において、リレーノードＲＮが、ランダムアクセス手順を行うことによって、ｎｏｎ-ＤＲＸ状態（連続受信状態）に遷移し、移動局ＵＥ宛ての電波の送信を再開する工程を有してもよい。
【００４３】
本実施形態の第１及び第２の特徴において、リレーノードＲＮが、無線基地局ＤｅＮＢから、Ｒ-ＰＤＣＣＨを介して制御情報を受信した場合に、ランダムアクセス手順を行うことによって、ｎｏｎ-ＤＲＸ状態に遷移し、移動局ＵＥ宛ての電波の送信を再開する工程を有してもよい。
【００４４】
本実施形態の第１及び第２の特徴において、リレーノードＲＮが、ランダムアクセス手順を行った後に、Ｕｎサブフレームの設定を行った後に、ｎｏｎ-ＤＲＸ状態に遷移し、移動局ＵＥ宛ての電波の送信を再開する工程を有してもよい。
【００４５】
本実施形態の第３の特徴は、リレーノードＲＮであって、無線基地局ＤｅＮＢから、Ｒ-ＰＤＣＣＨを介して「ＤＲＸ  Ｃｏｍｍａｎｄ  ＭＡＣ  ｃｏｎｔｒｏｌ  ｅｌｅｍｅｎｔ」を受信した場合に、リレーノードＲＮの受信状態をＤＲＸ状態に遷移させ、移動局ＵＥ宛ての電波の送信を停止するように構成されている制御部１１を具備することを要旨とする。
【００４６】
本実施形態の第４の特徴は、リレーノードＲＮであって、「ＤＲＸ  ｉｎａｃｔｉｖｅ  ｔｉｍｅｒ」が満了した場合に、リレーノードＲＮの受信状態をＤＲＸ状態に遷移させ、移動局ＵＥ宛ての電波の送信を停止するように構成されている制御部１１を具備し、制御部１１は、無線基地局ＤｅＮＢから、Ｒ-ＰＤＣＣＨを介して制御情報を受信した場合に、「ＤＲＸ  ｉｎａｃｔｉｖｅ  ｔｉｍｅｒ」をリセットするように構成されていることを要旨とする。
【００４７】
本実施形態の第３及び第４の特徴において、制御部１１は、リレーノードＲＮの受信状態をＤＲＸ状態に遷移させる際に、Ｕｎサブフレームの設定を解放するように構成されていてもよい。
【００４８】
本実施形態の第３及び第４の特徴において、制御部１１は、ランダムアクセス手順を行うことによって、リレーノードＲＮの受信状態をｎｏｎ-ＤＲＸ状態に遷移させ、移動局ＵＥ宛ての電波の送信を再開するように構成されていてもよい。
【００４９】
本実施形態の第３及び第４の特徴において、制御部１１は、無線基地局ＤｅＮＢから、Ｒ-ＰＤＣＣＨを介して制御情報を受信した場合に、ランダムアクセス手順を行うことによって、リレーノードＲＮの受信状態をｎｏｎ-ＤＲＸ状態に遷移させ、移動局ＵＥ宛ての電波の送信を再開するように構成されていてもよい。
【００５０】
本実施形態の第３及び第４の特徴において、制御部１１は、ランダムアクセス手順を行った後に、Ｕｎサブフレームの設定を行った後に、リレーノードＲＮの受信状態をｎｏｎ-ＤＲＸ状態に遷移させ、移動局ＵＥ宛ての電波の送信を再開するように構成されていてもよい。
【００５１】
なお、上述の無線基地局ＤｅＮＢやリレーノードＲＮや移動局ＵＥの動作は、ハードウェアによって実施されてもよいし、プロセッサによって実行されるソフトウェアモジュールによって実施されてもよいし、両者の組み合わせによって実施されてもよい。
【００５２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＤｅＮＢやリレーノードＲＮや移動局ＵＥ内に設けられていてもよい。また、かかる記憶媒体及びプロセッサは、ディスクリートコンポーネントとして無線基地局ＤｅＮＢやリレーノードＲＮや移動局ＵＥ内に設けられていてもよい。
【００５４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５５】
ＵＥ…移動局
ＤｅＮＢ…無線基地局
ＲＮ…リレーノード
１１…制御部
１２…Ｕｎインターフェイス
１３…Ｕｕインターフェイス
【図１】
2012009963.tif 000003
【図２】
2012009963.tif 000004
【図３】
2012009963.tif 000005